(57)【要約】      （修正有）【課題】積み重ね可能なハンドルを備える箱を提供する。【解決手段】箱１００は、アーチ形状の一側ハンドル１４０と、アーチ形状の他側ハンドルと、底板１１０の周縁部において、下方に向かって突出して形成されてなる一又は複数の凸部１３０と、を備えてなり、一側ハンドル１４０は、横倒状態とされた一側ハンドル１４０の上面には、アーチ形状に沿って立ち上がる一側リブ１４１が形成され、他側ハンドルは、横倒状態とされた他側ハンドルの上面には、アーチ形状に沿って立ち上がる他側リブが形成され、凸部１３０は、横倒状態における一側ハンドル１４０若しくは他側ハンドルの少なくとも一方の下方であって一側リブ１４１若しくは他側リブの立ち上がり壁１６１、１６２に沿う位置に配置される。【選択図】図７
0003234329.tif 000002
【実用新案登録請求の範囲】
【請求項１】
底板と、前記底板の周縁から立ち上がる周壁とを有し、前記周壁の上縁に囲まれた開口が形成されてなる箱であって、
前記周壁の上縁部の中間部において前記開口を跨いで枢設されてなり、前記上縁部のうち前記中間部から一方の側の上縁部である一側上縁部に近接する方向に回動可能に構成されてなるアーチ形状の一側ハンドルと、
前記中間部において前記開口を跨いで枢設されてなり、前記上縁部のうち前記中間部から他方の側の上縁部である他側上縁部に近接する方向に回動可能に構成されてなるアーチ形状の他側ハンドルと、
前記底板の周縁部において、下方に向かって突出して形成されてなる一又は複数の凸部と、を備えてなり、
前記一側ハンドルは、
前記一側上縁部に近接する方向に回動して横に倒された横倒状態において、前記一側上縁部に沿って被さるように構成され、
前記横倒状態とされた前記一側ハンドルの上面には、前記アーチ形状に沿って立ち上がる一側リブが形成され、
前記他側ハンドルは、
前記他側上縁部に近接する方向に回動して横に倒された横倒状態において、前記他側上縁部に沿って被さるように構成され、
前記横倒状態とされた前記他側ハンドルの上面には、前記アーチ形状に沿って立ち上がる他側リブが形成され、
前記凸部は、
前記横倒状態における前記一側ハンドル若しくは前記他側ハンドルの少なくとも一方の下方であって前記一側リブ若しくは前記他側リブの立ち上がり壁に沿う位置に配置されてなる
ことを特徴とする箱。
【請求項２】
前記横倒状態とされた前記一側ハンドル及び前記他側ハンドルのそれぞれの上面には、上方に開放されてなり、他の箱が備える前記凸部が嵌入される凹部が形成されてなり、
前記一側リブ及び前記他側リブのそれぞれの前記立ち上がり壁は、前記凹部の内壁の少なくとも一部を構成してなり、
前記凸部は、前記凹部の鉛直方向下方に配置されてなる
ことを特徴とする請求項１に記載の箱。
【請求項３】
前記横倒状態とされた前記一側ハンドル及び前記他側ハンドルは、
それぞれのアーチ形状を構成する水平方向外側の外縁が、前記上縁部の外縁と連続してなると共に、それぞれのアーチ形状を構成する水平方向内側の内縁が、前記上縁部の内縁よりも内側に延在して形成されてなり、
前記一側リブ及び前記他側リブのそれぞれの前記立ち上がり壁のうち内側の壁面は、
前記上縁部の内縁の鉛直方向上側に配設されてなり、
前記凸部は、
前記一側リブ及び前記他側リブのそれぞれの前記内側の壁面に沿う位置に配置されてなる
ことを特徴とする請求項１若しくは２に記載の箱。
【請求項４】
請求項１〜３のいずれか一つに記載の箱及び当該箱の上若しくは下に組み合わせて使用される第二の箱から構成される箱ユニットであって、
前記第二の箱は、
第二底板と、前記第二底板の周縁から立ち上がる第二周壁とを有し、前記第二周壁の上縁に囲まれた第二開口が形成されてなり、
前記第二周壁の上縁部の内縁は、前記第二の箱の上面に前記箱が重ねられた際に、前記一側リブ及び前記他側リブのそれぞれの前記立ち上がり壁の内側の壁面の鉛直方向下方に位置してなり、
前記第二底板の周縁部には、前記第二周壁の上縁部の下方であって、前記第二周壁の上縁部の内縁に沿う位置に配置されてなり、下方に向かって突出して形成されてなる一又は複数の第二凸部が設けられてなる
ことを特徴とする箱ユニット。
【請求項５】
請求項４に記載の箱ユニットであって、
前記箱若しくは前記第二の箱の少なくとも一方の上縁部に被せられる蓋を備え、
前記蓋は、上面に前記凸部若しくは前記第二凸部の少なくとも一方が嵌入される蓋凹部が形成されてなる
ことを特徴とする箱ユニット。
【請求項６】
請求項１〜３のいずれか一つに記載の箱の開口の半面を閉塞する大きさに形成された小底板と、前記小底板から立ち上がる小周壁とを有し、前記小周壁の上縁に囲まれた開口が形成されてなり
前記小底板には、下方に向かって突出して形成されてなる一又は複数の小凸部が設けられてなり、
前記小凸部は、前記箱の上に組み合わされる際に、横倒状態となった前記一側ハンドル若しくは前記他側ハンドルに形成された前記一側リブ若しくは前記他側リブのいずれか一方の前記立ち上がり壁と沿う位置に設けられてなる
ことを特徴とする小箱。
【考案の詳細な説明】
【技術分野】
【０００１】
本考案は、箱、箱ユニット、及び小箱に関する。
【背景技術】
【０００２】
従来、積み重ねが可能な容器として、特許文献１に記載の考案が知られていた。特許文献１に記載の容器は、蓋付き容器同士を積み重ねる場合に、上側の蓋付き容器の容器本体と、下側の蓋付き容器の容器本体とが、ネスティング形態の相対位置関係になり、上側の容器本体の支持部の直下方に、下側の容器本体の上フランジ部が存在していない場合であっても、下側の蓋付き容器の蓋部材のうち、上側の蓋付き容器の容器本体の支持部と当接して支持する部位の変形や損傷等を効果的に防止することができるものであった。
【先行技術文献】
【特許文献】
【０００３】
【特許文献１】特開２０１９―２１８１２５号公報
【考案の概要】
【考案が解決しようとする課題】
【０００４】
しかしながら、特許文献１は、ハンドルを備える箱を積み重ね可能とする技術を開示するものではなかった。
【課題を解決するための手段】
【０００５】
そこで、上記課題を解決するための手段として本考案に係る箱は、底板と、前記底板の周縁から立ち上がる周壁とを有し、前記周壁の上縁に囲まれた開口が形成されてなる箱であって、前記周壁の上縁部の中間部において前記開口を跨いで枢設されてなり、前記上縁部のうち前記中間部から一方の側の上縁部である一側上縁部に近接する方向に回動可能に構成されてなるアーチ形状の一側ハンドルと、前記中間部において前記開口を跨いで枢設されてなり、前記上縁部のうち前記中間部から他方の側の上縁部である他側上縁部に近接する方向に回動可能に構成されてなるアーチ形状の他側ハンドルと、前記底板の周縁部において、下方に向かって突出して形成されてなる一又は複数の凸部と、を備えてなり、前記一側ハンドルは、前記一側上縁部に近接する方向に回動して横に倒された横倒状態において、前記一側上縁部に沿って被さるように構成され、前記横倒状態とされた前記一側ハンドルの上面には、前記アーチ形状に沿って立ち上がる一側リブが形成され、前記他側ハンドルは、前記他側上縁部に近接する方向に回動して横に倒された横倒状態において、前記他側上縁部に沿って被さるように構成され、前記横倒状態とされた前記他側ハンドルの上面には、前記アーチ形状に沿って立ち上がる他側リブが形成され、前記凸部は、前記横倒状態における前記一側ハンドル若しくは前記他側ハンドルの少なくとも一方の下方であって前記一側リブ若しくは前記他側リブの立ち上がり壁に沿う位置に配置されてなることを特徴とする。
【０００６】
なお、前記凸部が前記一側リブ若しくは前記他側リブの立ち上がり壁に沿う位置に配置されるとは、前記一側リブ若しくは前記他側リブの立ち上がり壁から鉛直方向下方に向かって仮想線を引いた際に、前記凸部の側周の一部が当該仮想線に沿うことをいう。
【０００７】
また、前記横倒状態とされた前記一側ハンドル及び前記他側ハンドルのそれぞれの上面には、上方に開放されてなり、他の箱が備える前記凸部が嵌入される凹部が形成されてなり、前記一側リブ及び前記他側リブのそれぞれの前記立ち上がり壁は、前記凹部の内壁の少なくとも一部を構成してなり、前記凸部は、前記凹部の鉛直方向下方に配置されてなる
こととしてもよい。
【０００８】
また、前記横倒状態とされた前記一側ハンドル及び前記他側ハンドルは、それぞれのアーチ形状を構成する水平方向外側の外縁が、前記上縁部の外縁と連続してなると共に、それぞれのアーチ形状を構成する水平方向内側の内縁が、前記上縁部の内縁よりも内側に延在して形成されてなり、前記一側リブ及び前記他側リブのそれぞれの前記立ち上がり壁のうち内側の壁面は、前記上縁部の内縁の鉛直方向上側に配設されてなり、前記凸部は、前記一側リブ及び前記他側リブのそれぞれの前記内側の壁面に沿う位置に配置されてなることとしてもよい。
【０００９】
なお、前記凸部が前記一側リブ及び前記他側リブのそれぞれの前記内側の壁面に沿う位置に配置されるとは、前記一側リブ及び前記他側リブのそれぞれの前記内側の壁面から鉛直方向下方に向かって仮想線を引いた際に、前記凸部の側周の一部が当該仮想線に沿うことをいう。
【００１０】
また、本考案に係る箱ユニットは、前述の箱及び当該箱の上若しくは下に組み合わせて使用される第二の箱から構成される箱ユニットであって、前記第二の箱は、第二底板と、前記第二底板の周縁から立ち上がる第二周壁とを有し、前記第二周壁の上縁に囲まれた第二開口が形成されてなり、前記第二周壁の上縁部の内縁は、前記第二の箱の上面に前記箱が重ねられた際に、前記一側リブ及び前記他側リブのそれぞれの前記立ち上がり壁の内側の壁面の鉛直方向下方に位置してなり、前記第二底板の周縁部には、前記第二周壁の上縁部の下方であって、前記第二周壁の上縁部の内縁に沿う位置に配置されてなり、下方に向かって突出して形成されてなる一又は複数の第二凸部が設けられてなることを特徴とする。
【００１１】
また、前述の箱ユニットは、前記箱若しくは前記第二の箱の少なくとも一方の上縁部に被せられる蓋を備え、前記蓋は、上面に前記凸部若しくは前記第二凸部の少なくとも一方が嵌入される蓋凹部が形成されてなることとしてもよい。
【００１２】
また、本考案に係る小箱は前述のいずれか一つに記載の箱の開口の半面を閉塞する大きさに形成された小底板と、前記小底板から立ち上がる小周壁とを有し、前記小周壁の上縁に囲まれた開口が形成されてなり前記小底板には、下方に向かって突出して形成されてなる一又は複数の小凸部が設けられてなり、前記小凸部は、前記箱の上に組み合わされる際に、横倒状態となった前記一側ハンドル若しくは前記他側ハンドルに形成された前記一側リブ若しくは前記他側リブのいずれか一方の前記立ち上がり壁と沿う位置に設けられてなることを特徴とする。
【考案の効果】
【００１３】
本考案は、前記凸部が、前記横倒状態における前記一側ハンドル若しくは前記他側ハンドルの少なくとも一方の下方であって前記一側リブ若しくは前記他側リブの立ち上がり壁に沿う位置に配置されてなる。このため、本考案に係る箱を２複数上下に積み重ねる際に、上側の箱の前記凸部が下側の箱の前記一側リブ若しくは前記他側リブの立ち上がり壁に沿う。これにより、ハンドルを備える箱における積み重ねを行った際に上下の箱が水平方向にズレ動くことを、前記凸部と前記一側リブ若しくは前記他側リブとの接触により抑制すると共に、一側リブ及び他側リブによって、上側に他の箱が積み重ねられることとなるハンドル部分の強度を向上させることができる。
【図面の簡単な説明】
【００１４】
【図１】第一の箱１００において一側ハンドル１４０及び他側ハンドル１５０を起立させた起立状態を示す正面図である。
【図２】第一の箱１００において一側ハンドル１４０及び他側ハンドル１５０を横倒させた横倒状態を示す正面図である。なお、背面図は図１若しくは図２と対称に表れる。
【図３】横倒状態の第一の箱１００を示す右側面図である。なお、左側面図は図３と対称に表れる。
【図４】横倒状態の第一の箱１００を示す平面図である。
【図５】横倒状態の第一の箱１００を示す底面図である。
【図６】第一の箱１００を図５のＡの部分で切断した断面図である。破線は仮想線であり、二点鎖線は切断線である。
【図７】第一の箱１００の横倒状態となった一側ハンドル１４０の上に他の第一の箱１００を積み重ねた状態を示す断面図である。二点鎖線は切断線である。
【図８】第二の箱２００の正面図である。なお、背面図は図８と対称に表れる。
【図９】第二の箱２００の右側面図である。なお、左側面図は図９と対称に表れる。
【図１０】第二の箱２００の平面図である。
【図１１】第二の箱２００の底面図である。
【図１２】第二の箱２００を図１１のＢの部分で切断した断面図である。破線は仮想線であり、二点鎖線は切断線である。
【図１３】第二の箱２００の上に第一の箱１００を積み重ねた状態を示す断面図である。二点鎖線は切断線である。
【図１４】第一の箱１００の横倒状態となった一側ハンドル１４０の上に第二の箱２００を積み重ねた状態を示す断面図である。二点鎖線は切断線である。
【図１５】蓋３００の平面図である。
【図１６】蓋３００の底面図である。
【図１７】蓋３００の正面図である。なお、背面図は図１７と対称に表れる。
【図１８】蓋３００の右側面図である。なお、左側面図は図１８と対称に表れる。
【図１９】蓋３００を図１６のＣの部分で切断した断面図である。
【図２０】（ａ）は第一の箱１００の横倒状態となった一側ハンドル１４０の上に蓋３００が被せられ、さらに蓋３００の上に第二の箱２００が積み重ねられた状態を示す断面図である。（ｂ）は第二の箱２００の上に蓋３００が被せられ、さらに蓋３００の上に第一の箱１００が積み重ねられた状態を示す断面図である。二点鎖線は切断線である。
【図２１】本考案に係る一側ハンドル１４０の断面形状の一例を列挙して例示する図である。
【図２２】本考案に係る凸部１３０の形状の一例を列挙して例示する図である。
【図２３】第一の箱１００の横倒状態となった一側ハンドル１４０及び他側ハンドル１５０の上に、第一小箱４００及び第二小箱５００を積み重ねた状態を示す正面図である。
【図２４】第一小箱４００の底面図である。なお、第二小箱の底面も図２４と同様に表れる。
【図２５】第一の箱１００の横倒状態となった一側ハンドル１４０及び他側ハンドル１５０の上に第一小箱４００及び第二小箱５００を積み重ね、第一小箱４００及び第二小箱５００の上に蓋３００を積み重ね、蓋３００の上に第二の箱２００を積み重ねた状態を示す正面図である。
【考案を実施するための形態】
【００１５】
以下、本考案に係る実施の形態を、図を参照しながら詳しく説明する。なお、本明細書及び図面において、実質的に同一の機能構成を有する構成要素については、同一の符号を付することにより重複説明を省略する。
また、以下で説明する考案の実施形態は、本考案を実施するための形態の一例を示したものであり、本考案の技術的範囲は以下で説明するものに限定されない。
【００１６】
図１〜図７において開示する構成はハンドル１４０、１５０を備える第一の箱１００に係るものである。図８〜図１４において開示する構成は、ハンドル１４０、１５０を備えない第二の箱２００に係るものである。図１５〜図２０において開示する構成は蓋３００に係るものである。
【００１７】
（概略説明）
まず初めに、箱、及び箱ユニットを構成することとなる第一の箱１００、第二の箱２００、及び蓋３００のそれぞれの構成、及び、それぞれが好適に積み重ね可能であることについて、その概略を説明する。
【００１８】
第一の箱１００は、折り畳み可能な箱であり、上部に運搬時に把持される回動可能な一側ハンドル１４０及び他側ハンドル１５０を具備する。さらに第一の箱１００は、底板１１０の底面において一側ハンドル１４０若しくは他側ハンドル１５０の所定の要素と関わり合って積み重ねが可能となる凸部１３０を備える。このような構成により、図７に示すように、第一の箱１００を複数用意して、第一の箱１００を下に配置し、この第一の箱１００の上に他の第一の箱１００を積み重ねることができる。
【００１９】
第二の箱２００は、折り畳み可能な箱であり、ハンドル１４０、１５０を具備しない。さらに、第二の箱２００は、第二周壁上縁部２２１の内縁が第一の箱１００が具備する凸部１３０と関わり合って、第二の箱２００の上に第一の箱１００を積み重ねることができるように構成されている。またさらに、第二の箱２００は、第二底板２１０の底面において第一の箱１００が備える一側ハンドル１４０若しくは他側ハンドル１５０の所定の要素と関わり合って積み重ねが可能となる第二凸部２３０を備える。このような構成により、図１３に示すように第二の箱２００の上に第一の箱１００を積み重ねることができると共に、図１４に示すように第一の箱１００の上に第二の箱２００を積み重ねることができる。
【００２０】
蓋３００は、第一の箱１００と第二の箱２００の両方に被せることができるように構成されていると共に、凸部１３０若しくは第二凸部２３０が嵌入される蓋凹部３１０を備える。これにより、任意の順序で第一の箱１００、第二の箱２００、及び蓋３００の積み重ねが可能となる。例えば、図２０（ａ）に示すように、第一の箱１００の横倒状態となったハンドル１４０、１５０の上に蓋３００を被せ、さらに蓋３００の上に第二の箱２００を積み重ねることができるとともに、図２０（ｂ）に示すように、第二の箱２００の上に蓋３００を被せ、さらに蓋３００の上に第一の箱１００を積み重ねることができる。
【００２１】
（具体的構成）
以下では、以上で概略を説明した第一の箱１００、第二の箱２００、及び蓋３００について、その具体的構成について、詳細に説明する。
【００２２】
（第一の箱１００について）
第一の箱１００については、図１〜図７においてその構成を表している。
図１〜図６に示すように、第一の箱１００は、底板１１０と、底板１１０の周縁から立ち上がる周壁１２０とを有し、周壁１２０の上縁に囲まれた開口が形成されてなる。
また、第一の箱１００は、底板１１０が矩形に形成されてなる。第一の箱１００は、底板１１０の対向する長辺から上方に向かって設けられた二枚の折り畳み側板１２６を備える。第一の箱１００は、底板１１０の対向する短辺から上方に向かって設けられた二枚の旋回側板１２４を備える。すなわち、第一の箱１００の周壁１２０は、互いに対向する二枚の折り畳み側板１２６と、二枚の折り畳み側板１２６の互いに向かい合う側縁同士を連結し、互いに対向する二枚の旋回側板１２４とによって構成されている。また、周壁上縁部１２１は、平面視において底板１１０と略同じ大きさの矩形に形成されてなる。
【００２３】
図１、図２、及び図６に示すように、折り畳み側板１２６は、一部図示を省略しているが、高さ方向における上端部、中間部、及び下端部において水平方向に連続する折り畳み部１２７が形成されている。折り畳み部１２７は、当該部分における折り畳み側板１２６の折り畳みを可能とする。折り畳み部１２７は例えばヒンジなどにより構成されている。上端部及び下端部における折り畳み部１２７は、それぞれ折り畳み側板１２６を開口及び底板１１０に近接させる方向への折り畳みを可能とする。さらに、中間部における折り畳み部１２７は、上端部及び下端部における折り畳み動作と連動して、折り畳み側板１２６の上半部の外側面と下半部の外側面とが近接する方向に折り畳みを可能とする。これにより、折り畳み側板１２６は、縦断面において略Σの文字形状を呈するように折り畳むことができる。
【００２４】
図６に示すように、旋回側板１２４は、旋回側板１２４の上端部において水平方向に連続する旋回軸１２５を備える。これにより、旋回側板１２４は開口に近接する方向に旋回することができる。
【００２５】
第一の箱１００は、以上のように構成されていることで、二枚の旋回側板１２４をそれぞれ旋回させると共に、二枚の折り畳み側板１２６を折り畳むことができ、収納時に便利な折り畳み状態への変形が可能な箱体に構成されている。
なお、周壁上縁部１２１の語は、第一の箱１００の収容空間を取り囲む周壁１２０のうち上縁付近の部分を表す。
【００２６】
また、図５に示すように、底板１１０の底面には、任意の形状からなる補強リブ１１１が形成される。本実施形態においては、底板１１０の底面において複数の菱形による幾何学模様を表出させる補強リブ１１１が形成されている。
【００２７】
さらに、図１、図２、及び図４に示すように、第一の箱１００は、使用者によって把持される一側ハンドル１４０と、他側ハンドル１５０とを備える。
一側ハンドル１４０は、周壁上縁部１２１の中間部において開口を跨いで枢設されてなる。一側ハンドル１４０は、アーチ形状に構成されてなる。一側ハンドル１４０は、周壁上縁部１２１のうち中間部から一方の側の周壁上縁部１２１である一側上縁部１２２に近接する方向に回動可能に構成されてなる。
一側ハンドル１４０は、一側上縁部１２２に近接する方向に回動して横に倒された横倒状態（図２に示す状態）と、周壁上縁部１２１の中間部において上に向かって起立する起立状態（図１に示す状態）とをとることができる。一側ハンドル１４０は、横倒状態において、一側上縁部１２２に沿って被さるように構成されている。
【００２８】
一例として、本実施形態においては、一側ハンドル１４０は平面視コの字状に形成されてなる。また、全体として平面視矩形に構成されている周壁上縁部１２１において、中間部から一方の側の周壁上縁部１２１である一側上縁部１２２は、平面視コの字状に形成されている。このため、平面視コの字状の一側上縁部１２２に沿って被さるように、一側ハンドル１４０も一側上縁部１２２と略同じ大きさ且つ同じ向きの平面視コの字状に形成されてなる。すなわち、一側ハンドル１４０は、一側上縁部１２２の平面視におけるアーチ形状と略同じ大きさで同じ向きとなるアーチ形状に構成されている。
【００２９】
図１、図２、図４、及び図６に示すように、一側ハンドル１４０には、横倒状態において一側ハンドル１４０のアーチ形状を構成する水平方向外側の外縁である一側ハンドル外縁１４２と、水平方向内側の内縁である一側ハンドル内縁１４３とが形成されてなる。すなわち、一側ハンドル１４０の開口から離間した側の外郭が一側ハンドル外縁１４２により、一側ハンドル１４０の開口に近接した側の外郭が一側ハンドル内縁１４３により構成されている。本実施形態においては、一側ハンドル外縁１４２及び一側ハンドル内縁１４３共に、横倒状態において上下に高さを有する略コ字状のフランジに形成されている。一側ハンドル外縁１４２と一側ハンドル内縁１４３とは、それぞれ一側ハンドル１４０の一方の枢設基端１６３から他方の枢設基端１６３に亘って、横倒状態における上下の高さが均一に形成されている。
一側ハンドル外縁１４２及び一側ハンドル内縁１４３の間は、横倒状態における高さ方向の長さの中間位置において、水平方向に延びて一側ハンドル外縁１４２と一側ハンドル内縁１４３とを連結する一側ウェブ１４４が形成されてなる。一側ウェブ１４４は、一側ハンドル１４０の一方の枢設基端１６３から他方の枢設基端１６３に亘って連続して、一側ハンドル１４０の外縁と一側ハンドル１４０の内縁とを連結してなる。
【００３０】
一側ハンドル１４０の上面には、アーチ形状に沿って立ち上がる一側リブ１４１が形成されている。なお、本実施形態においては、一側リブ１４１は、略コの字状のアーチを呈する一側ハンドル１４０に合わせて、略コの字状のアーチ形状に形成されている。一側リブ１４１は、一側ハンドル内縁１４３と一側ハンドル外縁１４２との間において、一側ウェブ１４４から横倒状態における上方に向かって立ち上がってなる。さらに本実施形態においては、一側リブ１４１の下方においても下側に向かって延びるリブが形成されることで、一側ハンドル１４０の横断面が略王の字状に形成されてなる。
一側リブ１４１は、一側ハンドル１４０の横倒状態において、一側ウェブ１４４から上方に向かって立ち上がってなり、一側リブ１４１の一側ハンドル内縁１４３と対向する側壁と一側ハンドル外縁１４２と対向する側壁とは、一側ウェブ１４４から立ち上がる立ち上がり壁１６１に構成されてなる。一側ハンドル内縁１４３に近接する側の立ち上がり壁は、内側壁面１６２として構成されている。
また、横倒状態とされた一側ハンドル１４０の一側リブ１４１と一側ハンドル内縁１４３若しくは一側ハンドル外縁１４２との間には、上方に開放されてなる凹部１６０が形成されている。凹部１６０は、その底面が一側ウェブ１４４の上面によって構成されている。凹部１６０は、内壁の一部が一側リブ１４１の立ち上がり壁１６１によって構成されている。凹部１６０は、一側リブ１４１の立ち上がり壁１６１と一側ハンドル内縁１４３若しくは一側ハンドル外縁１４２との間において溝状に形成されている。凹部１６０は、一側ハンドル１４０の一方の枢設基端１６３から他方の枢設基端１６３に亘るアーチ状の溝に形成されてなる。
一側ハンドル１４０に設けられた外側と内側の二つの凹部１６０のうち内側の凹部１６０には、ここで説明している第一の箱１００とは異なる他の第一の箱１００が備える凸部１３０が嵌入される。なお、凸部１３０が一側ハンドル１４０の内側壁面１６２ではなく外側の立ち上がり壁１６１に沿う位置に設けられることで、外側の凹部１６０に凸部１３０が嵌入されることとしてもよい。
【００３１】
また、本実施形態において、一側リブ１４１の高さは、一側ハンドル１４０の一方の枢設基端１６３から他方の枢設基端１６３に亘るまで、一側ハンドル内縁１４３及び一側ハンドル外縁１４２の横倒状態における上端の高さと一致する。またさらに本実施形態において、一側リブ１４１の真下において下側に向かって延びるリブの高さは、一側ハンドル１４０の一方の枢設基端１６３から他方の枢設基端１６３に亘るまで、一側ハンドル内縁１４３及び一側ハンドル外縁１４２の横倒状態における下端の高さと一致する。
【００３２】
同様に、図１、図２、及び図４に示すように、他側ハンドル１５０は、周壁上縁部１２１の中間部において開口を跨いで枢設されてなる。他側ハンドル１５０は、アーチ形状に構成されてなる。他側ハンドル１５０は、周壁上縁部１２１のうち中間部から他方の側の周壁上縁部１２１である他側上縁部１２３に近接する方向に回動可能に構成されてなる。
他側ハンドル１５０は、他側上縁部１２３に近接する方向に回動して横に倒された横倒状態と、周壁上縁部１２１の中間部において上に向かって起立する起立状態とをとることができる。他側ハンドル１５０は、横倒状態において、他側上縁部１２３に沿って被さるように構成されている。
【００３３】
一例として、本実施形態においては、他側ハンドル１５０は平面視コの字状に形成されてなる。また、全体として平面視矩形に構成されている周壁上縁部１２１において、中間部から他方の側の周壁上縁部１２１である他側上縁部１２３は、平面視コの字状に形成されている。このため、平面視コの字状の他側上縁部１２３に沿って被さるように、他側ハンドル１５０も他側上縁部１２３と略同じ大きさ且つ同じ向きの平面視コの字状に形成されてなる。すなわち、他側ハンドル１５０は、他側上縁部１２３の平面視におけるアーチ形状と略同じ大きさで同じ向きとなるアーチ形状に構成されている。
【００３４】
図１、図２、及び図４に示すように、他側ハンドル１５０には、横倒状態において他側ハンドル１５０のアーチ形状を構成する水平方向外側の外縁である他側ハンドル外縁１５２と、水平方向内側の内縁である他側ハンドル内縁１５３とが形成されてなる。すなわち、他側ハンドル１５０の開口から離間した側の外郭が他側ハンドル外縁１５２により、他側ハンドル１５０の開口に近接した側の外郭が他側ハンドル内縁１５３により構成されている。本実施形態においては、他側ハンドル外縁１５２及び他側ハンドル内縁１５３共に、横倒状態において上下に高さを有する略コ字状のフランジに形成されている。他側ハンドル外縁１５２と他側ハンドル内縁１５３とは、それぞれ他側ハンドル１５０の一方の枢設基端１６３から他方の枢設基端１６３に亘って、横倒状態における上下の高さが均一に形成されている。また、他側ハンドル外縁１５２及び他側ハンドル内縁１５３の横倒状態における上下の高さは、一側ハンドル外縁１４２及び一側ハンドル内縁１４３の横倒状態における上下の高さと同一の高さに構成されている。
他側ハンドル外縁１５２及び他側ハンドル内縁１５３の間は、横倒状態における高さ方向の長さの中間位置において、水平方向に延びて他側ハンドル外縁１５２と他側ハンドル内縁１５３とを連結する他側ウェブ１５４が形成されてなる。他側ウェブ１５４は、他側ハンドル１５０の一方の枢設基端１６３から他方の枢設基端１６３に亘って連続して、他側ハンドル１５０の外縁と他側ハンドル１５０の内縁とを連結してなる。
【００３５】
他側ハンドル１５０の上面には、アーチ形状に沿って立ち上がる他側リブ１５１が形成されている。なお、本実施形態においては、他側リブ１５１は、略コの字状のアーチを呈する他側ハンドル１５０に合わせて、略コの字状のアーチ形状に形成されている。他側リブ１５１は、他側ハンドル内縁１５３と他側ハンドル外縁１５２との間において、他側ウェブ１５４から横倒状態における上方に向かって立ち上がってなる。さらに本実施形態においては、他側リブ１５１の下方においても下側に向かって延びるリブが形成されることで、他側ハンドル１５０の横断面が略王の字状に形成されてなる。
他側リブ１５１は、他側ハンドル１５０の横倒状態において、他側ウェブ１５４から上方に向かって立ち上がってなり、他側リブ１５１の他側ハンドル内縁１５３と対向する側壁と他側ハンドル外縁１５２と対向する側壁とは、他側ウェブ１５４から立ち上がる立ち上がり壁１６１に構成されてなる。他側ハンドル内縁１５３に近接する側の立ち上がり壁は、内側壁面１６２として構成されている。
また、横倒状態とされた他側ハンドル１５０の他側リブ１５１と他側ハンドル内縁１５３若しくは他側ハンドル外縁１５２との間には、上方に開放されてなる凹部１６０が形成されている。凹部１６０は、その底面が他側ウェブ１５４の上面によって構成されている。凹部１６０は、内壁の一部が他側リブ１５１の立ち上がり壁１６１によって構成されている。凹部１６０は、他側リブ１５１の立ち上がり壁１６１と他側ハンドル内縁１５３若しくは他側ハンドル外縁１５２との間において溝状に形成されている。凹部１６０は、他側ハンドル１５０の一方の枢設基端１６３から他方の枢設基端１６３に亘るアーチ状の溝に形成されてなる。
他側ハンドル１５０に設けられた外側と内側の二つの凹部１６０のうち内側の凹部１６０には、ここで説明している第一の箱１００とは異なる他の第一の箱１００が備える凸部１３０が嵌入される。なお、凸部１３０が他側ハンドル１５０の内側壁面１６２ではなく外側の立ち上がり壁１６１に沿う位置に設けられることで、外側の凹部１６０に凸部１３０が嵌入されることとしてもよい。
【００３６】
また、本実施形態において、他側リブ１５１の高さは、他側ハンドル１５０の一方の枢設基端１６３から他方の枢設基端１６３に亘るまで、他側ハンドル内縁１５３及び他側ハンドル外縁１５２の横倒状態における上端の高さと一致する。またさらに本実施形態において、他側リブ１５１の真下において下側に向かって延びるリブの高さは、他側ハンドル１５０の一方の枢設基端１６３から他方の枢設基端１６３に亘るまで、他側ハンドル内縁１５３及び他側ハンドル外縁１５２の横倒状態における下端の高さと一致する。
【００３７】
またさらに、図５及び図６に示すように、第一の箱１００は、底板１１０の周縁部において、下方に向かって突出して形成されてなる複数の凸部１３０を備える。凸部１３０は、底板１１０の底面の周縁部において、矩形の底板１１０の四隅に近接する位置にそれぞれ配置されることで、合計４つ設けられてなる。
【００３８】
一側の凸部１３０は、横倒状態における一側ハンドル１４０の下方であって一側リブ１４１の立ち上がり壁１６１に沿う位置に配置されている。すなわち、一側の凸部１３０は、横倒状態における一側ハンドル１４０の一側リブ１４１の立ち上がり壁１６１から鉛直方向下方に向かって仮想線を表した場合において、当該仮想線の近傍であって当該仮想線に沿う位置に設けられてなる。特に、本実施形態においては、一側の凸部１３０は、一側リブ１４１の内側壁面１６２と沿う位置（すなわち内側壁面１６２から鉛直方向下方に仮想線を表した場合に、当該仮想線に沿う位置）に配置されている。また特に、一側の凸部１３０は、横倒状態における一側ハンドル１４０の凹部１６０の鉛直方向下方に配置されてなる。また、一側の凸部１３０の大きさは、凹部１６０の幅よりも小さく構成されている。
【００３９】
また同様に、他側の凸部１３０は、横倒状態における他側ハンドル１５０の下方であって他側リブ１５１の立ち上がり壁１６１に沿う位置に配置されている。すなわち、他側の凸部１３０は、横倒状態における他側ハンドル１５０の他側リブ１５１の立ち上がり壁１６１から鉛直方向下方に向かって仮想線を表した場合において、当該仮想線の近傍であって当該仮想線に沿う位置に設けられてなる。特に、本実施形態においては、他側の凸部１３０は、他側リブ１５１の内側壁面１６２と沿う位置に配置されている。また特に、他側の凸部１３０は、横倒状態における他側ハンドル１５０の凹部１６０の鉛直方向下方に配置されてなる。また、他側の凸部１３０の大きさは、凹部１６０の幅よりも小さく構成されている。
【００４０】
なお、図６に示すように、本実施形態においては、凸部１３０はそれぞれ、一側ハンドル１４０及び他側ハンドル１５０の起立状態において水平になる持手軸部分１６４の両端部の下方であって、一側リブ１４１及び他側リブ１５１のそれぞれの立ち上がり壁１６１（特に内側壁面１６２）と沿う位置に設けられてなる。特に、凸部１３０はそれぞれ、このような持手軸部分１６４に形成されている凹部１６０の鉛直方向下方に配置されてなる。
【００４１】
なお、本実施形態における第一の箱１００においては、横倒状態とされた一側ハンドル１４０及び他側ハンドル１５０は、それぞれのアーチ形状を構成する水平方向外側の外縁である一側ハンドル外縁１４２及び他側ハンドル外縁１５２が、周壁上縁部１２１の外縁と連続している。すなわち、一側ハンドル外縁１４２及び他側ハンドル外縁１５２は、周壁上縁部１２１の外縁と外郭の形状が一致しており、横倒状態において互いに近接した際に連続した状態となる。
【００４２】
またさらに、図４及び図６に示すように、本実施形態における第一の箱１００においては、横倒状態とされた一側ハンドル１４０及び他側ハンドル１５０は、それぞれのアーチ形状を構成する水平方向内側の内縁が、周壁上縁部１２１の内縁よりも内側に延在して形成されてなる。さらに、横倒状態において、一側リブ１４１及び他側リブ１５１のそれぞれの立ち上がり壁１６１のうち開口に近接する内側壁面１６２は、周壁上縁部１２１の内縁の鉛直方向上側に配設されている。すなわち、一側リブ１４１及び他側リブ１５１のそれぞれの内側壁面１６２は、周壁上縁部１２１の内縁と上下に連続する。このため、本実施形態においては、一側ウェブ１４４及び他側ウェブ１５４のそれぞれの内側壁面１６２よりも内側に形成される部分は、周壁上縁部１２１の内縁の僅かに上方から内側に向かって延在しており、その内縁端縁において、一側ハンドル内縁１４３及び他側ハンドル内縁１５３が形成されている。これにより、本実施形態においては、内側壁面１６２がその周壁１２０の一部を構成することとなる内側の凹部１６０は、周壁上縁部１２１の内縁の僅かに上部から、水平方向の内側に形成されることとなる。
【００４３】
また、既に述べたように、一側の凸部１３０と他側の凸部１３０とは、それぞれ一側リブ１４１若しくは他側リブ１５１のそれぞれの内側壁面１６２に沿う位置に配置されている。このため、他の第一の箱１００が備える一側の凸部１３０と他側の凸部１３０とは、それぞれ、周壁上縁部１２１の内縁よりも内側に形成された一側ハンドル１４０の凹部１６０若しくは他側ハンドル１５０の凹部１６０に対して、内側壁面１６２と沿って嵌入されることとなる。
【００４４】
なお、本実施形態における第一の箱１００は、凸部１３０が補強リブ１１１の下端よりも僅かに下方に突出している。このため、他の第一の箱１００又は第二の箱２００に対して第一の箱１００を積み重ねる際に、凸部１３０の位置決めが容易である。
【００４５】
（第二の箱２００について）
第二の箱２００については、図８〜図１４においてその構成を表している。
第二の箱２００は、おおよそ第一の箱１００における一側ハンドル１４０及び他側ハンドル１５０が設けられていない構造に構成されている。以下、第二の箱２００について、説明する。
【００４６】
第二の箱２００は、第一の箱１００の上若しくは下に組み合わせて使用される箱体である。第二の箱２００は、第一の箱１００と共に箱ユニットを構成する。
図８〜１２に示すように、第二の箱２００は、第二底板２１０と、第二底板２１０の周縁から立ち上がる第二周壁２２０とを有し、第二周壁２２０の上縁に囲まれた第二開口が形成されてなる。
また、第二の箱２００は、第二底板２１０が矩形に形成されてなる。第二の箱２００は、第二底板２１０の対向する長辺から上方に向かって設けられた二枚の第二折り畳み側板２２６を備える。第二の箱２００は、第二底板２１０の対向する短辺から上方に向かって設けられた二枚の第二旋回側板２２４を備える。すなわち、第二の箱２００の第二周壁２２０は、互いに対向する二枚の第二折り畳み側板２２６と、二枚の第二折り畳み側板２２６の互いに向かい合う側縁同士を連結し、互いに対向する二枚の第二旋回側板２２４とによって構成されている。また、第二周壁上縁部２２１は、平面視において第二底板２１０と略同じ大きさの矩形に形成されてなる。
【００４７】
図８及び図１２に示すように、第二折り畳み側板２２６は、一部図示を省略しているが、高さ方向における上端部、中間部、及び下端部において水平方向に連続する第二折り畳み部２２７が形成されている。第二折り畳み部２２７は、当該部分における折り畳み側板１２６の折り畳みを可能とする。第二折り畳み部２２７は例えばヒンジなどにより構成されている。上端部及び下端部における第二折り畳み部２２７は、それぞれ第二折り畳み側板２２６を第二開口及び第二底板２１０に近接させる方向への折り畳みを可能とする。さらに、中間部における第二折り畳み部２２７は、上端部及び下端部における折り畳み動作と連動して、第二折り畳み側板２２６の上半部の外側面と下半部の外側面とが近接する方向に折り畳みを可能とする。これにより、第二折り畳み側板２２６は、縦断面において略Σの文字形状を呈するように折り畳むことができる。
【００４８】
図１２に示すように、第二旋回側板２２４は、第二旋回側板２２４の上端部において水平方向に連続する第二旋回軸２２５を備える。これにより、第二旋回側板２２４は第二開口に近接する方向に旋回することができる。
【００４９】
第二の箱２００は、以上のように構成されていることで、二枚の第二旋回側板２２４をそれぞれ旋回させると共に、二枚の第二折り畳み側板２２６を折り畳むことができ、収納時に便利な折り畳み状態への変形が可能な箱体に構成されている。
なお、第二周壁上縁部２２１の語は、第二の箱２００の収容空間を取り囲む第二周壁２２０のうち上縁付近の部分を表す。
【００５０】
また、図１１に示すように、第二底板２１０の底面には、任意の形状からなる第二補強リブ２１１が形成される。本実施形態においては、第二底板２１０の底面において複数の菱形による幾何学模様を表出させる第二補強リブ２１１が形成されている。
【００５１】
第二周壁上縁部２２１は、第二の箱２００の上面に第一の箱１００が重ねられた際に、第二周壁上縁部２２１の内縁が一側リブ１４１及び他側リブ１５１のそれぞれの立ち上がり壁１６１のうち内側壁面１６２の鉛直方向下方に位置するように構成されている。
また更に、図１３に示すように、第二周壁上縁部２２１は、第二の箱２００の上に第一の箱１００を重ねた場合において、第一の箱１００の凸部１３０が第二の箱２００の第二周壁上縁部２２１の内縁に沿って嵌入するように形成されてなる。また、第二周壁上縁部２２１の内縁は平面視において矩形に形成されてなる。特に、第二周壁上縁部２２１の内縁により囲われる矩形領域は、第一の箱１００の底板１１０において４つの凸部１３０のそれぞれを仮想的な線分により繋ぐことで矩形領域を仮定した場合における該矩形領域と略同一の形状及び大きさに構成されている。
【００５２】
図１１及び図１２に示すように、第二の箱２００は、第二底板２１０の周縁部において、下方に向かって突出して形成されてなる複数の第二凸部２３０を備える。第二凸部２３０は、第二底板２１０の底面の周縁部において、矩形の底板１１０の四隅に近接する位置にそれぞれ配置されることで、合計４つ設けられてなる。
それぞれの第二凸部２３０は、第二周壁上縁部２２１の下方であって、第二周壁上縁部２２１の内縁に沿う位置に配置されてなる。すなわち、それぞれの第二凸部２３０は、第二周壁上縁部２２１の内縁から鉛直方向下方に向かって仮想線を表した場合において、当該仮想線に沿う位置に設けられてなる。また特に、第二凸部２３０は、第二周壁上縁部２２１の内縁の僅かに内側となる位置の鉛直方向下方に配置されている。
なお、本実施形態においては、第二凸部２３０はそれぞれ、平面視矩形の第二周壁上縁部２２１を構成する矩形の短辺の両端部の下方であって、第二周壁上縁部２２１の内縁と沿う位置に設けられてなる。
【００５３】
なお、本実施形態における第二の箱２００は、第二凸部２３０が第二補強リブ２１１の下端よりも僅かに下方に突出している。このため、第一の箱１００に対して第二の箱２００を積み重ねる際に、第二凸部２３０の位置決めが容易である。
【００５４】
（蓋３００について）
蓋３００については、図１５〜図２０においてその構成を表している。以下、蓋３００について説明する。
【００５５】
蓋３００は、第一の箱１００及び第二の箱２００と共に、箱ユニットを構成することができる。
蓋３００は、第一の箱１００若しくは第二の箱２００の少なくとも一方の上縁部に被せられる。蓋３００は、上面に前述した第一の箱１００の凸部１３０若しくは第二の箱２００の第二凸部２３０の少なくとも一方が嵌入される蓋凹部３１０が形成されてなる。
【００５６】
図１５に示すように、本実施形態においては、蓋３００は、第一の箱１００及び第二の箱２００の両方の上縁部に被せることができると共に、蓋凹部３１０が第一の箱１００の凸部１３０及び第二の箱２００の第二凸部２３０の両方を受け入れることができる。
【００５７】
蓋３００は、平面視において矩形に構成されている。また、蓋３００は、上面において外周よりも僅かに内側の部分において、当該部分を一周に亘って取り囲む凹部１６０が形成されている。蓋凹部３１０は、蓋３００の上面から溝状に窪んで形成されている。蓋凹部３１０により囲われた内側の領域には、蓋凹部３１０の底よりも高さが高くなっており、その底面（すなわち蓋３００の裏面）において格子状の格子リブ３３０が形成されてなる。蓋３００は、外周縁において下方に向かって延出する外被部３２０が形成されている。
【００５８】
また、図１６及び図１９に示すように、蓋凹部３１０と外被部３２０との間には、囲繞リブ３４０が形成されている。
【００５９】
外被部３２０の下端縁により囲われる矩形の領域は、第一の箱１００の一側ハンドル１４０及び他側ハンドル１５０を横倒状態とした場合に一側ハンドル外縁１４２及び他側ハンドル外縁１５２により囲われた矩形の領域、及び、第二の箱２００の第二周壁２２０の上端縁の外側の縁により囲われた矩形の領域よりも僅かに大きい。このため、外被部３２０は、第一の箱１００との関係において、蓋３００を第一の箱１００の上側に載置した場合に、蓋３００を第一の箱１００に被せることを可能とする。またこのため、外被部３２０は、第二の箱２００との関係において、蓋３００を第二の箱２００の上側に載置した場合に、蓋３００を第二の箱２００に被せることを可能とする。
【００６０】
図１６及び図１９に示すように、囲繞リブ３４０は、蓋３００の底面において蓋凹部３１０と外被部３２０との間で蓋３００の一周に亘って一定間隔を隔てて複数設けられてなる。すなわち、囲繞リブ３４０は、蓋凹部３１０を囲繞するように並んで設けられている。囲繞リブ３４０は、外被部３２０の僅かに内側に設けられている。
蓋３００を第一の箱１００に被せた場合には、囲繞リブ３４０は、第一の箱１００の一側ハンドル１４０の上面及び他側ハンドル１５０の上面と当接する。また、蓋３００を第二の箱２００に被せた場合には、囲繞リブ３４０は、第二の箱２００の第二周壁２２０の上端縁と当接する。これにより、蓋３００の上に第一の箱１００、若しくは第二の箱２００が載置される場合においても、蓋３００の下に存在する第一の箱１００若しくは第二の箱２００と蓋３００と当接することで負荷が掛かる部分の耐久性を向上させることができる。
【００６１】
蓋凹部３１０は、第一の箱１００の凸部１３０及び第二の箱２００の第二凸部２３０を嵌入可能に構成されている。蓋凹部３１０の溝の幅は、凸部１３０及び第二凸部２３０の大きさよりも大きく形成されている。蓋凹部３１０は、蓋３００の上に第一の箱１００を載置した際に、凸部１３０が蓋凹部３１０に嵌入する位置に形成されている。蓋凹部３１０は、蓋３００の上に第二の箱２００を載置した際に、第二凸部２３０が蓋凹部３１０に嵌入する位置に形成されている。
【００６２】
（第一の箱１００、第二の箱２００、及び蓋３００の構成要素の配置関係について）
以下、本実施形態における、第一の箱１００、第二の箱２００、及び蓋３００の、相互に積み重ねる際に好適となる相互部材間での配置関係について説明する。
【００６３】
図６に示すように、第一の箱１００の凸部１３０は、横倒状態となった一側ハンドル１４０及び他側ハンドル１５０の下方において、一側リブ１４１及び他側リブ１５１の内側壁面１６２から鉛直方向下方に向かって仮想線を引いた際に、凸部１３０の外側の側面が当該仮想線と沿う位置に配設されてなる。
これにより、図７に示すように、第一の箱１００を複数上下に積み重ねた際に、第一の箱１００の凸部１３０が、他の第一の箱１００の一側リブ１４１及び他側リブ１５１の内側壁面１６２と沿って、一側リブ１４１及び他側リブ１５１の水平方向内側に位置する凹部１６０に嵌入する。これによって、一側ハンドル１４０及び他側ハンドル１５０を備える第一の箱１００を、複数上下に確実に積み重ねることができる。
特に、第一の箱１００の凸部１３０が他の第一の箱１００の一側リブ１４１及び他側リブ１５１のそれぞれの内側壁面１６２に沿うことで、第一の箱１００を複数上下に積み重ねた際に、それぞれの第一の箱１００が水平方向にズレ動くことを防止することができる。
またさらに、第一の箱１００のそれぞれの凸部１３０が、第一の箱１００の一側ハンドル１４０及び他側ハンドル１５０の起立状態において水平になる持手軸部分１６４の両端部分の下方に位置する。これにより、水平方向のズレ動きの防止がより確実になる。すなわち、凸部１３０が立ち上がり壁１６１に沿う位置に設けられることにより、持手軸部分１６４の立ち上がり壁１６１と直交する向きへの第一の箱１００のズレが防止されることに加え、凸部１３０が持手軸部分１６４の両端部分の下方に位置することで、持手軸部分１６４の軸方向への第一の箱１００のズレが防止される。
【００６４】
なお、凸部１３０の位置はこれに限定されるものではない。例えば、横倒状態となった一側ハンドル１４０及び他側ハンドル１５０の一側リブ１４１及び他側リブ１５１の水平方向外側の立ち上がり壁１６１から鉛直方向下方に向かって仮想線を引いた際に、凸部１３０の内側の側面が当該仮想線と沿うこととしてもよい。この場合には、凸部１３０は、一側リブ１４１及び他側リブ１５１の水平方向外側に位置する立ち上がり壁１６１と沿って、一側リブ１４１及び他側リブ１５１の水平方向外側に位置する凹部１６０に嵌入されることとなる。この場合においても、上下に複数積み重ねた第一の箱１００の水平方向のズレを防止することができる。
【００６５】
なお、凸部１３０は、横倒状態における一側ハンドル１４０若しくは他側ハンドル１５０の少なくとも一方の下方であって一側リブ１４１若しくは他側リブ１５１のそれぞれの立ち上がり壁１６１に沿う位置に配置されてなればよい。すなわち、凸部１３０が横倒状態における一側ハンドル１４０若しくは他側ハンドル１５０の少なくとも一方の下方であって一側リブ１４１若しくは他側リブ１５１のそれぞれの立ち上がり壁１６１に沿う位置に配置されていれば、複数の第一の箱１００を上下に積み重ねた際に、凸部１３０と一側リブ１４１若しくは他側リブ１５１とが沿うことにより、水平方向のうち第一の箱１００同士がズレ動けは凸部１３０と一側リブ１４１若しくは他側リブ１５１とが接触することとなる所定の方向への第一の箱１００のズレを抑制することができる。
また例えば、一側リブ１４１の外側の凹部１６０と、他側リブ１５１の内側の凹部１６０とに凸部１３０が嵌入される場合であっても、複数の第一の箱１００を上下に積み重ねた際における水平方向のズレ動きを十分に防止することができる。
【００６６】
図１２に示すように、第二の箱２００の第二凸部２３０は、第二の箱２００の第二周壁上縁部２２１の下方において、第二周壁上縁部２２１の内縁から鉛直方向下方に向かって仮想線を引いた際に、第二凸部２３０の外側の側面が当該仮想線と沿う位置に配設されてなる。またここで、第二周壁上縁部２２１の内縁は、第二の箱２００の上面に第一の箱１００が重ねられた際に、横倒状態の第一の箱１００の一側リブ１４１及び他側リブ１５１のそれぞれの内側壁面１６２の鉛直方向下方に位置している。このため、第二の箱２００の第二凸部２３０は、第二の箱２００の上に第一の箱１００を積み重ね、横倒状態の第一の箱１００の一側リブ１４１及び他側リブ１５１の内側壁面１６２から鉛直方向下方に向かって仮想線を引いた際に、第二凸部２３０の外側の側面が当該仮想線と沿う位置に配設されてなる。また、第二の箱２００の第二凸部２３０は、第二の箱２００の上に第一の箱１００を積み重ねた際に、第二凸部２３０の外側の側面は第一の箱１００の凸部１３０の外側の側面の鉛直方向下方に位置する。
このため、第二の箱２００の第二凸部２３０は、第二の箱２００の下に第一の箱１００を設け、第一の箱１００の上に第二の箱２００を積み重ねた際において、図１４に示すように、横倒状態とされた第一の箱１００の一側リブ１４１及び他側リブ１５１の内側壁面１６２と第二の箱２００の第二凸部２３０の外側の側面とが沿う位置に配設されてなる。
すなわち、第二の箱２００の第二凸部２３０は、以上の位置に配設されてなることにより、第二の箱２００の下に第一の箱１００を設けた際に、第一の箱１００の上に第二の箱２００を積み重ねることができる。より具体的には、第一の箱１００の横倒状態とされた一側ハンドル１４０及び他側ハンドル１５０の一側リブ１４１及び他側リブ１５１の内側壁面１６２と第二の箱２００の第二凸部２３０とを沿わせて、第二凸部２３０を一側リブ１４１及び他側リブ１５１の水平方向内側の凹部１６０に嵌入させることができる。これにより、一側ハンドル１４０及び他側ハンドル１５０を備える第一の箱１００の上に、ハンドルを具備しない第二の箱２００を確実に積み重ねることができる。
特に、第二の箱２００の第二凸部２３０が、第一の箱１００の一側リブ１４１及び他側リブ１５１のそれぞれの内側壁面１６２に沿うことで、上下に積み重ねられた第一の箱１００と第二の箱２００とが水平方向にズレ動くことを防止することができる。
またさらに、以上の位置に第二凸部２３０が配設されてなる場合には、第一の箱１００の上に第二の箱２００を積み重ねたときに、第二の箱２００のそれぞれの第二凸部２３０が、第一の箱１００の一側ハンドル１４０及び他側ハンドル１５０の起立状態において水平になる持手軸部分１６４の両端部分に近接して位置することとなる。これにより、水平方向のズレ動きの防止がより確実になる。すなわち、第二凸部２３０が第一の箱１００の立ち上がり壁１６１に沿うところに積み重ねにより位置することとなり、持手軸部分１６４の立ち上がり壁１６１と直交する向きへの第一の箱１００と第二の箱２００とのズレが防止されることに加え、第二凸部２３０が第一の箱１００の持手軸部分１６４の両端部分の下方に位置することで、持手軸部分１６４の軸方向への第一の箱１００のズレが防止される。
【００６７】
第二の箱２００の第二周壁上縁部２２１の内縁は、第二の箱２００の上面に第一の箱１００が重ねられた際に、第一の箱１００の一側リブ１４１及び他側リブ１５１のそれぞれの立ち上がり壁１６１の内側壁面１６２の鉛直方向下方に位置する。これにより、第二周壁上縁部２２１の内縁が、一側リブ１４１及び他側リブ１５１の内側壁面１６２と同じ大きさ且つ形状の矩形領域を囲うこととなる。このため、一側リブ１４１及び他側リブ１５１の内側壁面１６２と沿って一側ハンドル１４０及び他側ハンドル１５０の水平方向内側の凹部１６０に嵌入されていた第一の箱１００の凸部１３０が、他の第一の箱１００の上に積み重ね可能であったことと同様に、図１３に示すように、第一の箱１００の凸部１３０を、第二の箱２００の第二周壁上縁部２２１の内縁に沿わせて積み重ねることができ、第一の箱１００と第二の箱２００との水平方向のズレが防止される。
また本実施形態においては、第二凸部２３０はそれぞれ、平面視矩形の第二周壁上縁部２２１を構成する矩形の短辺の両端部の下方であって、第二周壁上縁部２２１の内縁と沿う位置に設けられてなる。このため、第一の箱１００の凸部１３０を第二の箱２００の第二周壁上縁部２２１の内縁に沿わせて積み重ねる際に、第一の箱１００の凸部１３０が、平面視矩形の第二周壁上縁部２２１を構成する矩形の短辺の両端部の内縁に沿って積み重ねられることとなる。このため、第二の箱２００と第二の箱２００の上に積み重ねられた第一の箱１００とは、第二周壁上縁部２２１における長辺方向に加えて、短辺方向においてもズレ動くことを防止することができる。
【００６８】
蓋３００の蓋凹部３１０は、第一の箱１００に被せた際に、一側ハンドル１４０及び他側ハンドル１５０の水平方向内側の凹部１６０の鉛直方向上方に位置することとなる。また、蓋３００の蓋凹部３１０は、第二の箱２００に被せた際に、第二の箱２００の第二周壁上縁部２２１の内縁の僅かに内側に位置することとなる。これにより、蓋３００の蓋凹部３１０には、第一の箱１００の凸部１３０及び第二の箱２００の第二凸部２３０を嵌入させることができる。
したがって、蓋３００は、第一の箱１００及び第二の箱２００と組み合わせて、適宜の順番により上下に第一の箱１００、第二の箱２００、及び蓋３００を積み重ねることができる。例えば、図２０（ａ）に示すように、第一の箱１００の上面に蓋３００を被せ、蓋３００の上に第二の箱２００を積み重ねることができる。さらに、図２０（ｂ）に示すように、第二の箱２００の上面に蓋３００を被せ、蓋３００の上に第一の箱１００を積み重ねることができる。
また蓋３００は、蓋凹部３１０が第一の箱１００の凸部１３０及び第二の箱２００の第二凸部２３０を受け入れることができることから、蓋３００の上に第一の箱１００若しくは第二の箱２００を積み重ねた場合においても、蓋３００と第一の箱１００若しくは第二の箱２００との間で水平方向のズレが生じることを防止することができる。
【００６９】
（作用・効果について）
既に述べたように、本実施形態に係る第一の箱１００、第二の箱２００、及び蓋３００は、それぞれを一又は複数個適宜の順序により上下に積み重ねることができると共に、積み重ねられたそれぞれが水平方向にズレ動くことを防止することができる。またこれと同時に、一側リブ１４１及び他側リブ１５１が第一の箱１００に設けられており、この上に第二の箱２００若しくは蓋３００が載置されることとなるため、一側ハンドル１４０及び他側ハンドル１５０の強度が十分に保たれ、ハンドルの損傷を抑制することができる。
【００７０】
また、本実施形態では、一側ハンドル１４０及び他側ハンドル１５０は横倒状態において、一側ハンドル内縁１４３、一側ハンドル外縁１４２、及び一側リブ１４１が上下方向に同じ長さを有して構成されており、他側ハンドル内縁１５３、他側ハンドル外縁１５２、及び他側リブ１５１が上下方向に同じ長さを有して構成されている。これにより、一側リブ１４１及び他側リブ１５１に加えて、一側ハンドル内縁１４３、一側ハンドル外縁１４２、他側ハンドル内縁１５３、及び他側ハンドル外縁１５２がリブと同様の作用を発揮する。これにより、一側ハンドル１４０及び他側ハンドル１５０の耐久性がさらに向上し、ハンドルを有する第一の箱１００の上に、他の第一の箱１００若しくは他の第二の箱２００、又は蓋３００を介して他の第一の箱１００若しくは他の第二の箱２００が積み重ねられた際においても、一側ハンドル１４０及び他側ハンドル１５０の損傷を十分に防止することができる。
【００７１】
また、本実施形態における第一の箱１００においては、横倒状態とされた一側ハンドル１４０及び他側ハンドル１５０は、それぞれのアーチ形状を構成する水平方向外側の外縁である一側ハンドル外縁１４２及び他側ハンドル外縁１５２が、周壁上縁部１２１の外縁と連続している。このため、一側ハンドル１４０及び他側ハンドル１５０を備える第一の箱１００において、一側ハンドル１４０若しくは他側ハンドル１５０が第一の箱１００の周壁１２０から水平方向外側に向かって飛び出ることがない。このため、第一の箱１００を複数個又は、第一の箱１００、第二の箱２００、及び蓋３００を適宜の順序で積み重ねる際に、一側ハンドル１４０若しくは他側ハンドル１５０が水平方向外側に突出せず、積み重ねられた第一の箱１００、第二の箱２００、及び蓋３００からなる箱ユニットの周囲のスペースを有効活用することができる。特に、一側ハンドル１４０若しくは他側ハンドル１５０が第一の箱１００の周壁１２０から飛び出ないことで、積み重ねられた第一の箱１００、第二の箱２００、及び蓋３００からなる箱ユニットの前後左右において、このような箱ユニットと隣接して他の第一の箱１００、他の第二の箱２００、及び他の蓋３００からなる他の箱ユニットを置くことができる。
【００７２】
（変形例）
図２１及び図２２は、本考案において適宜変更することができる変形例の一例を示すものである。
【００７３】
図２１は、本考案において、適宜変更することができる一側ハンドル１４０の断面形状の一例を示すものである。なお、他側ハンドル１５０については、図２１で図示していないが、他側ハンドル１５０についても一側ハンドル１４０と同様に適宜その構成を変更することができる。
一側ハンドル１４０及び他側ハンドル１５０は、アーチ形状に構成されており、横倒状態において周壁上縁部１２１に沿って被さる形状であれば、種々のアーチ形状に沿って立ち上がるリブが形成されることができる。
【００７４】
例えば、図２１（ａ）に表すように、一側ハンドル１４０は、断面逆Ｔ字状に構成することができる。断面逆Ｔ字状の一側ハンドル１４０は、本実施形態における断面略王字状の一側ハンドル１４０と同様に、一側ハンドル内縁１４３と一側ハンドル外縁１４２とを有する。また、一側ハンドル内縁１４３と一側ハンドル外縁１４２とは、水平方向に平板状に均一の厚みにより連なってなる。さらに、一側ハンドル内縁１４３と一側ハンドル外縁１４２との間において、一側リブ１４１が上方に向かってアーチ形状に沿って立ち上がってなる。この場合も、一側リブ１４１の内側の立ち上がり壁１６１は内側壁面１６２に構成されると共に、一側リブ１４１の外側にも立ち上がり壁１６１が形成されている。また、他側ハンドル１５０についても同様に、断面逆Ｔ字状に構成することができる。
【００７５】
例えば、図２１（ｂ）に表すように、一側ハンドル１４０は、断面王の字状に構成することができる。この形状は、本実施形態において説明したものと略同様の形状である。しかし、本実施形態において示した一側リブ１４１が、一側ハンドル内縁１４３と一側ハンドル外縁１４２との間において、僅かに一側ハンドル内縁１４３に近接した位置に設けられていたのに対して、図２１（ｂ）に表した一側ハンドル１４０は、一側リブ１４１が、一側ハンドル内縁１４３と一側ハンドル外縁１４２との間の中心に設けられている。
ここで示したように、一側ハンドル１４０において、一側リブ１４１は、一側ハンドル内縁１４３若しくは一側ハンドル外縁１４２の一方の側に近接する位置に設けてもよく、一側ハンドル内縁１４３及び一側ハンドル外縁１４２の間の中心位置から上方に向かって立ち上がるように設けてもよい。また、他側ハンドル１５０についても同様に、他側リブ１５１の位置を適宜他側ハンドル１５０の内縁若しくは他側ハンドル外縁１５２の一方の側に近接することとしてもよく、他側ハンドル内縁１５３及び他側ハンドル外縁１５２の間の中心位置から上方に向かって立ち上がるように設けてもよい。
【００７６】
例えば、図２１（ｃ）に表すように、一側ハンドル１４０は、断面Ｅ字状に構成することができる。断面Ｅ字状の一側ハンドル１４０は、本実施形態における断面略王字状の一側ハンドル１４０と同様に、一側ハンドル内縁１４３と一側ハンドル外縁１４２とを有する。また、一側ハンドル内縁１４３と一側ハンドル外縁１４２とが、それぞれの下端において平板状に連なってなる。さらに、一側ハンドル内縁１４３と一側ハンドル外縁１４２との間において、一側リブ１４１が上方に向かってアーチ形状に沿って立ち上がってなる。この場合も、一側リブ１４１の内側の立ち上がり壁１６１は内側壁面１６２に構成されると共に、一側リブ１４１の外側にも立ち上がり壁１６１が形成されている。また、他側ハンドル１５０についても同様に、断面Ｅ字状に構成することができる。
【００７７】
例えば、図２１（ｄ）に表すように、一側ハンドル１４０は、複数の一側リブ１４１を有することができる。複数の一側リブ１４１を有する一側ハンドル１４０は、本実施形態における断面略王字状の一側ハンドル１４０と同様に、一側ハンドル内縁１４３と一側ハンドル外縁１４２とを有する。また、一側ハンドル内縁１４３と一側ハンドル外縁１４２とは、本実施形態と同様に一側ハンドル１４０の横倒状態における高さ方向中間位置において一側ウェブ１４４によって連結されてなる。図２１（ｄ）に表す例によれば、一側ハンドル内縁１４３と一側ハンドル外縁１４２との間において、一側ハンドル内縁１４３及び一側ハンドル外縁１４２と平行に二つの一側リブ１４１が形成されてなる。さらに一側ハンドル内縁１４３に近接する方の一側リブ１４１の水平方向内側の立ち上がり壁１６１は内側壁面１６２に構成されてなると共に、水平方向外側も立ち上がり壁１６１に構成されてなる。またさらに、一側ハンドル外縁１４２に近接する方の一側リブ１４１の水平方向内側の立ち上がり壁１６１は内側壁面１６２に構成されてなると共に、水平方向外側も立ち上がり壁１６１に構成されてなる。また、他側ハンドル１５０についても同様に、他側リブ１５１を複数設けることとしてもよい。
この場合においても、第一の箱１００が具備する凸部１３０若しくは第二の箱２００が具備する第二凸部２３０の配設された位置との関係で、適宜所望の凹部１６０に対して凸部１３０若しくは第二凸部２３０を嵌入させることができる。
【００７８】
図２２は、本考案において、適宜変更することができる凸部１３０及び第二凸部２３０の断面形状の一例を示すものである。
凸部１３０及び第二凸部２３０は、一側ハンドル１４０若しくは他側ハンドル１５０に形成された一側リブ１４１若しくは他側リブ１５１の立ち上がり壁１６１に沿う位置に配置されてなればよく、種々の構成・形状によりそのような位置に配置することができる。また、凸部１３０及び第二凸部２３０は、一側リブ１４１若しくは他側リブ１５１の立ち上がり壁１６１に沿う位置に配置されていれば、上下に第一の箱１００と他の第一の箱１００、若しくは第一の箱１００と第二の箱２００とを適宜組み合わせて積み重ねる場合においても、好適に積み重ねると共にリブによる一側ハンドル１４０及び他側ハンドル１５０の耐久性向上の効果を得ることができる。
【００７９】
例えば、図２２（ａ）に表すように、凸部１３０（あるいは第二凸部２３０）は、矩形の箱体の底面の四隅に配設された直方体のブロック状に構成することができる。直方体のブロック状に形成された凸部１３０は、適宜一側ハンドル１４０及び他側ハンドル１５０のリブに形成された立ち上がり壁１６１の位置との関係において、その配設される位置を調整することができる。
【００８０】
また例えば、図２２（ｂ）に表すように、凸部１３０（あるいは第二凸部２３０）は、矩形の箱体の底面の外周付近を一周するレール状に構成することができる。さらに、図２２（ｂ）の場合における凸部１３０は、レール状の折れ曲がる四隅の部分がＲ状に形成されることで、滑らかに曲がっている。レール状に構成された凸部１３０も同様に、適宜一側ハンドル１４０及び他側ハンドル１５０のリブに形成された立ち上がり壁１６１の位置との関係において、そのレールの配設される位置を調整することができる。
【００８１】
また例えば、図２２（ｃ）に表すように、凸部１３０（あるいは第二凸部２３０）は、矩形の箱体の底面の外周付近を一周するレール状に構成すると共に、レール上の折れ曲がる四隅において、略直角に折り曲げることができる。この場合においても同様に、適宜一側ハンドル１４０及び他側ハンドル１５０のリブに形成された立ち上がり壁１６１の位置との関係において、そのレールを配設する位置を調整することができる。
【００８２】
またこのほか、実施形態においては、第一の箱１００、及び第二の箱２００はそれぞれ折り畳み可能な構成を開示したが、本考案はこれに限られるものではない。すなわち、折り畳み可能に構成されていることは本考案を実施する上での必須の構成ではない。
【００８３】
また、一側ハンドル１４０及び他側ハンドル１５０が備える凹部１６０としては、本実施形態において一方の枢設基端１６３から他方の枢設基端１６３に亘って連続するレール状の溝が形成された例を示した。しかしながら、例えば凹部１６０は、一側ハンドル１４０若しくは他側ハンドル１５０の一方の枢設基端１６３から他方の枢設基端１６３までの間において、一側リブ１４１若しくは他側リブ１５１と直交する横方向のリブが複数設けられることで、凹部１６０が複数の穴により構成される穴状の凹部１６０としてもよい。
【００８４】
本実施形態においては、第一の箱１００及び第二の箱２００は直方体形状の箱体としたが、第一の箱１００及び第二の箱２００の形状はこれに限られるものではなく、例えば円筒形状若しくは楕円筒形状等とすることもできる。
【００８５】
本実施形態においては、第一の箱１００及び第二の箱２００は、積み重ねられる際に例えば４つ備える凸部１３０若しくは第二凸部２３０の全てが一側ハンドル１４０及び他側ハンドル１５０に形成された一側リブ１４１及び他側リブ１５１の立ち上がり壁１６１に沿うこととした。しかしながら、一側リブ１４１の立ち上がり壁１６１若しくは他側リブ１５１の立ち上がり壁１６１のいずれか一方に対して、いずれか一つ以上の凸部１３０が沿うように構成されていれば、積み重ね時の水平方向へのズレを軽減することができ、本考案の効果を奏することができる。
【００８６】
（他の実施形態）
次に、図２３〜図２５を参照しながら、本考案に係る他の実施形態を説明する。
以下で説明する他の実施形態は、既に説明した第一の箱１００と好適に組み合わせることができる小箱４００、５００に関するものである。
なお第一小箱４００及び第二小箱５００は、いずれも第一の箱１００よりも小さく構成された箱体であり、第一小箱４００は小ハンドルを備え、第二小箱５００は小ハンドルを備えない。
【００８７】
第一小箱４００は、大部分において第一の箱１００を縮小した形態に構成されてなる。第二小箱５００は、大部分において第二の箱２００を縮小した形態に構成されてなる。このため、他の実施形態において構成の説明を省略した部分及び言及しない部分については、第一小箱４００及び第二小箱５００は、それぞれ第一の箱１００及び第二の箱２００と同様に構成されている。
【００８８】
（具体的構成）
第一小箱４００は、第一の箱１００と同様の構成とされている。第一小箱４００は、小底板４１０が矩形に構成されており、その長辺方向の長さが第一の箱１００の短辺と略同一の長さに構成されている。第一小箱４００は、短辺方向の長さが第一の箱１００の長辺の略半分の長さに構成されている。また、第一小箱４００は、高さが第一の箱１００のおおよそ７割の高さに構成されている。
【００８９】
第一小箱４００は、小底板４１０と、小底板４１０の周縁から立ち上がる小周壁４２０とを有し、小周壁４２０の上縁に囲まれた開口が形成されてなる。
小周壁４２０は、互いに対向する二枚の小折り畳み側板４２６と、互いに対向する二枚の小旋回側板４２４とによって構成されている。また、小周壁上縁部４２１は、平面視において小底板４１０と略同じ大きさの矩形に形成されてなる。
【００９０】
小折り畳み側板４２６には、小折り畳み部４２７が形成されている。小折り畳み側板４２６は、小折り畳み部４２７で折り畳むことで、縦断面において略Σの文字形状を呈するように折り畳むことができる。
また、小旋回側板４２４は、小旋回軸を中心に旋回させることができる。
これにより、第一小箱４００は、上下方向に小さくなるように折り畳むことができる。
【００９１】
また、図２４に示すように、小底板４１０の底面には、任意の形状からなる小補強リブ４１１が形成される。
【００９２】
第一小箱４００は、使用者によって把持される小一側ハンドルと、小他側ハンドル４５０とを備える。小一側ハンドル及び小他側ハンドル４５０は、小周壁上縁部４２１の中間部において開口を跨いで枢設されてなる。小一側ハンドルは、小周壁上縁部４２１のうち中間部から一方の側の小周壁上縁部４２１である小一側上縁部に近接する方向に回動可能に構成されてなる。また、小他側ハンドル４５０は、小周壁上縁部４２１のうち中間部から他方の側の小周壁上縁部４２１である小他側上縁部４２３に近接する方向に回動可能に構成されてなる。
小一側ハンドル及び小他側ハンドル４５０には、第一の箱１００と同様に小リブを形成することで、第一の箱１００や第二の箱２００、又は第一小箱４００や第二小箱５００の凸部１３０，２３０、若しくは小凸部４３０を小リブの小立ち上がり壁に沿わせて第一の箱の上に載置可能としてもよい。なお、本実施形態においては、小一側ハンドル及び小他側ハンドル４５０共に、第一の箱１００の場合と同様に、横断面が略王の字状に形成されている。すなわち、小一側ハンドルは、小一側ハンドル内縁と小一側ハンドル外縁との間を小一側ウェブが連結し、小一側ハンドル内縁と小一側ハンドル外縁との間において、小一側リブが形成されている。また、小他側ハンドル４５０は、小他側ハンドル内縁と小他側ハンドル外縁４５２との間を小他側ウェブが連結し、小他側ハンドル内縁と小他側ハンドル外縁４５２との間において、小他側リブが形成されている。また、第一小箱４００の小他側ハンドル４５０における小持手軸部分４６４は、第一の箱１００の上に第一小箱４００を組み合わせた際に、第一の箱１００の周壁上縁部１２１の長辺における一側の部分と上下に重なる。同様に、第一小箱４００の小他側ハンドル４５０における小持手軸部分４６４は、第一の箱１００の上に第一小箱４００を組み合わせる際に、第一小箱４００を第一の箱１００の一側若しくは他側のいずれに重ねるか、又は第一小箱４００の一側を正面とするか背面とするかを適宜変更することにより、第一の箱１００の周壁上縁部１２１の長辺における一側の部分、他側の部分のいずれにも上下に重ねることができる。
【００９３】
また、図２４に示すように、第一小箱４００は、小底板４１０の周縁部において、下方に向かって突出して形成されてなる複数の小凸部４３０を備える。小凸部４３０は、小底板４１０の底面の周縁部において、矩形の小底板４１０の四隅に近接する位置にそれぞれ配置されることで、合計４つ設けられてなる。
また、小凸部４３０は、それぞれ、第一の箱１００の上に第一小箱４００を組み合わせた際に、一側リブ１４１若しくは他側リブ１５１の立ち上がり壁１６１のうち持手軸部分１６４の両端付近において、立ち上がり壁１６１に沿うこととなる位置に配設されている。
【００９４】
第一小箱４００は、小底板４１０の対向する二つの長辺の周縁部において、それぞれ下方に向かって突出して形成されてなる小突条４３１を備える。小突条４３１は、正面側の長辺の両端付近に配設された二つの小凸部４３０の間において、二つの小凸部により定義される線分と重なる位置に配設されている。なお、この線分は物理的に実在するものではなく、説明の上で仮想的に定義したものである。同様に、小突条４３１は、背面側の長辺の両端付近に配設された二つの小凸部４３０の間においても、二つの小凸部により定義される線分と重なる位置に配設されている。
また、小突条４３１は、第一の箱１００の上に第一小箱４００を組み合わせた際に、一側リブ１４１若しくは他側リブ１５１の立ち上がり壁１６１に沿うこととなる位置に配設されている。
【００９５】
第一小箱４００は、小底板４１０の周縁部において配設された小凸部４３０の近傍であって、それぞれの小凸部４３０よりも僅かに小底板４１０における短辺方向中間側に位置する小ガイド片４１２が形成されてなる。小ガイド片４１２は、小底板４１０の周縁部において、小底板４１０の底面から下方に向かって突出する。
また、それぞれの小ガイド片４１２の水平方向外側の周面は、小底板４１０の長辺方向において設けられた他の小ガイド片４１２の水平方向外側の周面との間において、第一の箱１００の短辺方向の開口の距離だけ離間して配設されている。
【００９６】
第一小箱４００は、以上のように構成されることで、小凸部４３０及び小突条４３１を第一の箱１００の一側ハンドル１４０若しくは他側ハンドル１５０の立ち上がり壁１６１に沿って、一側ハンドル１４０若しくは他側ハンドル１５０の凹部１６０に嵌入させることができる。
これにより、第一小箱４００は、第一小箱４００の長辺方向を第一の箱１００の短辺方向と一致させて、第一の箱１００の上に組み合わせることができ、第一の箱１００の開口の半面を閉塞することができる。
【００９７】
また、第一小箱４００は、それぞれの小ガイド片４１２の水平方向外側の周面は、小底板４１０の長辺方向において設けられた他の小ガイド片４１２の水平方向外側の周面との間において、第一の箱１００の短辺方向の開口の距離だけ離間して配設されている。
これにより、第一小箱４００の長辺方向を第一の箱１００の短辺方向と一致させて、第一の箱１００の上に第一小箱４００を組み合わせる際に、小ガイド片４１２が第一の箱１００の開口の長辺部分の内縁に沿って摺動可能となり、第一の箱１００の上に第一小箱４００を重ねるための位置決めが容易となる。
【００９８】
次に、第二小箱５００は、第二の箱２００と同様の構成とされている。第二小箱５００は、第二小底板が矩形に構成されており、その長辺方向の長さが第二の箱２００の短辺と略同一の長さに構成されている。第二小箱５００は、第二小底板の短辺方向の長さが第二の箱２００の長辺の略半分の長さに構成されている。また、第二小箱５００は、高さが第二の箱２００のおおよそ７割の高さに構成されている。
また、第二小箱５００は、その形状と大きさが第一小箱４００と略同一に構成されており、第一小箱４００から小一側ハンドル及び小他側ハンドル４５０を省略した形状に構成されている。
【００９９】
第二小箱５００は、第二小底板と、第二小底板の周縁から立ち上がる第二小周壁５２０とを有し、第二小周壁５２０の上縁に囲まれた開口が形成されてなる。
第二小周壁５２０は、互いに対向する二枚の第二小折り畳み側板５２６と、互いに対向する二枚の第二小旋回側板５２４とによって構成されている。また、第二小周壁上縁部５２１は、平面視において第二小底板と略同じ大きさの矩形に形成されてなる。
【０１００】
第二小折り畳み側板５２６には、第二小折り畳み部５２７が形成されている。第二小折り畳み側板５２６は、第二小折り畳み部５２７で折り畳むことで、縦断面において略Σの文字形状を呈するように折り畳むことができる。
また、第二小旋回側板５２４は、第二小旋回軸を中心に旋回させることができる。
これにより第二小箱５００は、上下方向に小さくなるように折り畳むことができる。
【０１０１】
また、図示しないが、第二小箱５００の第二小底板の底面は、第一小箱４００の小底板４１０の底面と同一の形状及び大きさに構成されている。
このため、第二小底板の底面にも、第一小箱４００と同様に、任意の形状からなる第二小補強リブが形成される。
【０１０２】
また、第二小箱５００は、第二小底板の周縁部において、下方に向かって突出して形成されてなる複数の第二小凸部を備える。第二小凸部は、第二小底板の底面の周縁部において、矩形の第二小底板の四隅に近接する位置にそれぞれ配置されることで、合計４つ設けられてなる。
また、第二小凸部は、それぞれ、第一の箱１００の上に第二小箱５００を組み合わせた際に、一側リブ１４１若しくは他側リブ１５１の立ち上がり壁１６１の持手軸部分１６４の両端付近において、立ち上がり壁１６１に沿うこととなる位置に配設されている。
【０１０３】
第二小箱５００は、第二小底板の対向する二つの長辺の周縁部において、それぞれ下方に向かって突出して形成されてなる第二小突条を備える。第二小突条は、正面側の長辺の両端付近に配設された二つの第二小凸部の間において、二つの第二小凸部により定義される線分と重なる位置に配設されている。なお、この線分も第一小箱４００の場合と同様に、物理的に実在するものではなく、説明の上で仮想的に定義したものである。同様に、第二小突条は、背面側の長辺の両端付近に配設された二つの第二小凸部により定義される線分と重なる位置に配設されている。
また、第二小突条は、第一の箱１００の上に第二小箱５００を組み合わせた際に、一側リブ１４１若しくは他側リブ１５１の立ち上がり壁１６１に沿うこととなる位置に配設されている。
【０１０４】
第二小箱５００は、第二小底板の周縁部において配設された第二小凸部の近傍であって、それぞれの第二小凸部よりも僅かに第二小底板における短辺方向中間側に位置する第二小ガイド片が形成されてなる。第二小ガイド片は、第二小底板の周縁部において、第二小底板の底面から下方に向かって突出する。
また、それぞれの第二小ガイド片の水平方向外側の周面は、第二小底板の長辺方向において設けられた他の第二小ガイド片の水平方向外側の周面との間において、第一の箱１００の短辺方向の開口の距離だけ離間して配設されている。
【０１０５】
第二小箱５００は、以上のように構成されることで、第二小凸部及び第二小突条を第一の箱１００の一側ハンドル１４０若しくは他側ハンドル１５０の立ち上がり壁１６１に沿って、一側ハンドル１４０若しくは他側ハンドル１５０の凹部１６０に嵌入させることができる。
これにより、第二小箱５００は、第二小箱５００の長辺方向を第一の箱１００の短辺方向と一致させて、第一の箱１００の上に組み合わせることができ、第一の箱１００の開口の半面を閉塞することができる。
【０１０６】
また、第二小箱５００は、それぞれの第二小ガイド片の水平方向外側の周面は、第二底板の長辺方向において設けられた他の第二小ガイド片の水平方向外側の周面との間において、第一の箱１００の短辺方向の開口の距離だけ離間して配設されている。
これにより、第二小箱５００の長辺方向を第一の箱１００の短辺方向と一致させて、第一の箱１００の上に第二小箱５００を組み合わせる際に、第二小ガイド片が第一の箱１００の開口の長辺部分の内縁に沿って摺動可能となり、第一の箱１００の上に第二小箱５００を重ねるための位置決めが容易となる。
【０１０７】
（第一の箱１００、第二の箱２００、蓋３００、第一小箱４００、及び第二小箱５００の組み合わせについて）
以下、他の実施形態にける第一小箱４００及び第二小箱５００における、第一の箱１００、第二の箱２００、及び蓋３００との間の組み合わせの態様を、図２３及び図２５を参照して説明する。
【０１０８】
図２３に示すように、第一小箱４００は、前述の通り第一小箱４００の長辺方向を第一の箱１００の短辺方向と一致させて、第一の箱１００の上に重ねることができる。さらに、第一小箱は、例えば第一の箱１００の一側上縁部１２２の上に重ねた際に、第一小箱４００の小凸部４３０が第一の箱１００の横倒状態とされた一側ハンドル１４０の一側リブ１４１の立ち上がり壁１６１のうち特に内側壁面１６２に沿って、一側ハンドル１４０の内側の凹部１６０に嵌入される。また、第一小箱４００の小凸部４３０は、一側ハンドル１４０の持手軸部分１６４の両端部分において、内側の凹部１６０に嵌入される。
【０１０９】
これと同時に、第一小箱４００は、小突条４３１が一側ハンドル１４０の持手軸部分１６４の内側の凹部１６０に嵌入される。
これによって、第一小箱４００は、第一の箱１００の一側上縁部１２２に重ねることができる。また、第一小箱４００をこのように第一の箱１００の一側上縁部１２２に重ねた際には、第一小箱４００の小底板４１０が、第一の箱１００の開口の一側の半面を閉塞する。
【０１１０】
また同様に、図２３に示すように、第二小箱５００は、前述の通り第二小箱５００の長辺方向を第一の箱１００の短辺方向と一致させて、第一の箱１００の上に重ねることができる。さらに、第二小箱５００は、例えば、第一の箱１００の他側上縁部１２３の上に重ねた際に、第二小箱５００の第二小凸部が第一の箱１００の横倒状態とされた他側ハンドル１５０の他側リブ１５１の立ち上がり壁１６１のうち特に内側壁面１６２に沿って、他側ハンドル１５０の内側の凹部１６０に嵌入される。また、第二小箱５００の第二小凸部は、他側ハンドル１５０の持手軸部分１６４の両端部分において、内側の凹部１６０に嵌入される。
【０１１１】
これと同時に、第二小箱５００は、第二小突条が他側ハンドル１５０の持手軸部分１６４の内側の凹部１６０に嵌入される。
これによって、第二小箱５００は、第一の箱１００の他側上縁部１２３に重ねることができる。また、第二小箱５００をこのように第一の箱１００の他側上縁部１２３に重ねた際には、第二小箱５００の第二小底板が第一の箱１００の開口の他側の半面を閉塞する。
【０１１２】
また、図２５に示すように、第一小箱４００及び第二小箱５００を第一の箱１００の上に重ねた際には、第一小箱４００及び第二小箱５００の高さが略同一の高さに構成されていることから、第一小箱４００及び第二小箱５００の上に蓋３００を被せることができる。
また、その蓋３００の上には、第二の箱２００を重ねることとしてもよい。
【０１１３】
また、他の実施形態においては、第一小箱４００及び第二小箱５００を第一の箱１００の上に重ねる例を説明した。しかしながら、第一小箱４００及び第二小箱５００は、小底板４１０及び第二小底板に形成される小凸部４３０及び第二小凸部の位置を適宜調整することにより、第二の箱２００の上若しくは蓋３００の上に重ねることができるようにしてもよい。
【０１１４】
また、第一小箱４００及び第二小箱５００は、周壁上縁部１２１が矩形に構成されてなる第一の箱１００に合わせて、直方体の箱体に構成した。しかしながら、第一の箱１００の形状に応じて、横倒状態となった一側ハンドル１４０若しくは他側ハンドル１５０の立ち上がり壁１６１と沿う位置に小凸部４３０及び第二小凸部が形成され、第一の箱１００の開口の半面を閉塞可能に構成されてなればよい。すなわち、第一小箱４００及び第二小箱５００は、その形状が直方体の箱体に構成されることを必須の要素とするものではなく、適宜円筒形状等種々の形状に構成することができる。
【０１１５】
ここで説明した実施形態、及び変形例は、いずれも本考案を実施するための例示的な構成を示したものであり、本考案の技術的範囲は、以上で説明したものに限定されない。
【符号の説明】
【０１１６】
１００    第一の箱
１１０    底板
１２０    周壁
１２１    周壁上縁部
１２２    一側上縁部
１２３    他側上縁部
１３０    凸部
１４０    一側ハンドル
１４１    一側リブ
１４２    一側ハンドル外縁
１４３    一側ハンドル内縁
１５０    他側ハンドル
１５１    他側リブ
１５２    他側ハンドル外縁
１５３    他側ハンドル内縁
１６０    凹部
１６１    立ち上がり壁
１６２    内側壁面
２００    第二の箱
２１０    第二底板
２２０    第二周壁
２２１    第二周壁上縁部
２３０    第二凸部
３００    蓋
３１０    蓋凹部
３２０    外被部
３３０    格子リブ
３４０    囲繞リブ
４００    第一小箱
５００    第二小箱
【図１】
0003234329.tif 000003
【図２】
0003234329.tif 000004
【図３】
0003234329.tif 000005
【図４】
0003234329.tif 000006
【図５】
0003234329.tif 000007
【図６】
0003234329.tif 000008
【図７】
0003234329.tif 000009
【図８】
0003234329.tif 000010
【図９】
0003234329.tif 000011
【図１０】
0003234329.tif 000012
【図１１】
0003234329.tif 000013
【図１２】
0003234329.tif 000014
【図１３】
0003234329.tif 000015
【図１４】
0003234329.tif 000016
【図１５】
0003234329.tif 000017
【図１６】
0003234329.tif 000018
【図１７】
0003234329.tif 000019
【図１８】
0003234329.tif 000020
【図１９】
0003234329.tif 000021
【図２０】
0003234329.tif 000022
【図２１】
0003234329.tif 000023
【図２２】
0003234329.tif 000024
【図２３】
0003234329.tif 000025
【図２４】
0003234329.tif 000026
【図２５】
0003234329.tif 000027